(57)【要約】本発明は、画像撮影携帯端末の高機能性、携帯性、普及度等を色弱者等の利便に帰すべく、視覚補助ネットワークシステムを提供しようとする。本発明の提供する視覚補助ネットワークサーバは、携帯端末から画像を受信する画像データ受信手段と、前記画像データ受信手段が受信した前記画像を記憶する顧客データ記憶手段と、前記顧客データ記憶手段から前記画像を取得して、該画像の色データを生成する画像色データ解析手段と、前記画像色データ解析手段が生成した色データを、前記携帯端末へ送信する色データ送信手段と、を含む。
2004023397.tif 000002
【特許請求の範囲】
【請求項１】
携帯端末から画像を受信する画像データ受信手段と、前記画像データ受信手段が受信した前記画像を記憶する顧客データ記憶手段と、前記顧客データ記憶手段から前記画像を取得して、該画像の色データを生成する画像色データ解析手段と、前記画像色データ解析手段が生成した色データを、前記携帯端末へ送信する色データ送信手段と、を含む視覚補助ネットワークサーバ。
【請求項２】
前記色データ送信手段は、ネットワークを介して前記色データを前記携帯端末へ送信する、請求項１に記載の視覚補助ネットワークサーバ。
【請求項３】
前記ネットワークはインターネットである請求項２に記載の視覚補助ネットワークサーバ。
【請求項４】
前記色データ及び前記画像をウェブページに表示して前記ネットワークに配信するウェブページ配信手段を備えた、請求項１乃至請求項３に記載の視覚補助ネットワークサーバ。
【請求項５】
前記色データ送信手段は、前記色データをメールにより前記携帯端末へ送信する、請求項１乃至請求項３に記載の視覚補助ネットワークサーバ。
【請求項６】
前記顧客データ記憶手段は、前記携帯端末に対応する電話番号を登録し、前記色データ送信手段は、前記顧客データ記憶手段から前記電話番号を取得して該電話番号に対応する携帯端末へ、該携帯端末から受信した画像の前記色データを音声として送信する、請求項１乃至請求項３に記載の視覚補助ネットワークサーバ。
【請求項７】
前記画像色データ解析手段は、前記受信した画像の中心付近のドット領域の色データを生成する、請求項１乃至請求項３の何れかに記載の視覚補助ネットワークサーバ。
【請求項８】
前記画像色データ解析手段は、前記携帯端末が前記ウェブページ上でポインタ指定したドット領域の色データを生成し、前記色データ送信手段は、前記画像色データ解析手段が生成した色データを、前記携帯端末へ送信する、請求項１乃至請求項３の何れかに記載の視覚補助ネットワークサーバ。
【請求項９】
前記携帯端末から請求項１乃至請求項３の何れかに記載の視覚補助ネットワークサーバが画像を受信し、該視覚補助ネットワークサーバは該携帯端末に前記色データを送信する視覚補助ネットワークシステム。
【請求項１０】
ネットワークを介して視覚補助ネットワークサーバと携帯端末が画像及び色データを送受信する視覚補助方法であって、
前記携帯端末の携帯撮影手段が画像を撮影するステップ、
前記携帯端末の携帯送受信手段がネットワークを介して前記画像を前記視覚補助ネットワークサーバに送信するステップ、
前記視覚補助ネットワークサーバの画像データ受信手段が、前記画像を受信するステップ、
前記視覚補助ネットワークサーバの顧客データ記憶手段が、前記画像データ受信手段が受信した前記画像を記憶するステップ、
前記視覚補助ネットワークサーバの画像色データ解析手段が、前記顧客データ記憶手段から前記画像を取得して、該画像から色データを生成するステップ、
前記視覚補助ネットワークサーバの色データ送信手段が、前記画像色データ解析手段が生成した色データを、前記ネットワークを介して前記携帯端末へ送信するステップ、
前記携帯端末の携帯送受信手段が、前記色データ送信手段が送信した前記色データを、前記ネットワークを介して受信するステップ、
からなる視覚補助方法。
【請求項１１】
前記ネットワークはインターネットである請求項１０に記載する視覚補助方法。
【請求項１２】
前記視覚補助ネットワークサーバはウェブページ配信手段を備え、前記ウェブページ配信手段は、前記色データ及び前記画像をウェブページに表示して前記ネットワークに配信する、請求項１０又は請求項１１に記載の視覚補助方法。
【請求項１３】
前記色データ送信手段は、前記色データをメールにより前記携帯端末へ送信する、請求項１０又は請求項１１に記載の視覚補助方法。
【請求項１４】
前記顧客データ記憶手段は、前記携帯端末に対応する電話番号を登録し、前記色データ送信手段は、前記顧客データ記憶手段から前記電話番号を取得して該電話番号に対応する携帯端末へ、該携帯端末から受信した画像の前記色データを音声として送信する、請求項１０又は請求項１１に記載の視覚補助方法。
【請求項１５】
前記画像色データ解析手段は、前記受信した画像の中心付近のドット領域の色データを生成する、請求項１０又は請求項１１に記載の視覚補助方法。
【請求項１６】
前記画像色データ解析手段は、前記携帯端末が前記ウェブページ上でポインタ指定したドット領域の色データを生成し、前記色データ送信手段は、前記画像色データ解析手段が生成した色データを、前記携帯端末へ送信する、請求項１０又は請求項１１に記載の視覚補助方法。
【請求項１７】
携帯端末内に備えられる視覚補助システムであり、
画像を撮影する撮影手段と、前記撮影手段が撮影した画像を記憶する顧客データ記憶手段と、前記顧客データ記憶手段の画像の色データを生成する画像色データ解析手段と、前記画像色データ解析手段が生成した色データを表示する色データ表示手段と、を含む視覚補助システム。
【請求項１８】
ユーザーの色覚特性データを記憶する記憶手段と、
画面の原イメージデータを取り込む取得手段と、
前記原イメージデータを前記色覚特性データに基づいて変換して変換イメージデータを作成する作成手段と、
前記原イメージデータ及び前記変換イメージデータをピクセル毎に比較して比較イメージデータを作成するピクセル比較手段と、
前記比較イメージデータが一定のピクセル比較閾値以上であるピクセルの変換イメージデータ及び該ピクセルの周辺の変換イメージデータを比較する周辺比較手段と、
前記周辺比較手段による比較結果が一定の周辺比較閾値以下のピクセルを一定値以上含む画面分割部を色弱部であると判断する色弱部判断手段と、
前記色弱部が存在する画面内にマークを表示して色弱部が存在することを認識させるマーク表示手段と、
前記色弱部が存在する画面内の該色弱部に色弱部表示を行って該色弱部を認識させる色弱部表示手段と、
を含む色覚機能通知システム。
【請求項１９】
前記色弱部表示手段が前記色弱部の原イメージデータを反転、修飾又は強調して色弱部表示を行う請求項１８に記載する色覚機能通知システム。
【請求項２０】
コンピューターを、
ユーザーの色覚特性データを記憶する記憶手段、
画面の原イメージデータを取り込む取得手段、
前記原イメージデータを前記色覚特性データに基づいて変換して変換イメージデータを作成する作成手段、
前記原イメージデータ及び前記変換イメージデータをピクセル毎に比較して比較イメージデータを作成するピクセル比較手段、
前記比較イメージデータが一定のピクセル比較閾値以上であるピクセルの変換イメージデータ及び該ピクセルの周辺の変換イメージデータを比較する周辺比較手段、
前記周辺比較手段による比較結果が一定の周辺比較閾値以下のピクセルを一定値以上含む画面分割部を色弱部であると判断する色弱部判断手段、
前記色弱部が存在する画面内にマークを表示して色弱部が存在することを認識させるマーク表示手段、
前記色弱部が存在する画面内の該色弱部に色弱部表示を行って該色弱部を認識させる色弱部表示手段、
として機能させる色覚機能通知用プログラム。
【請求項２１】
記憶手段が、ユーザーの色覚特性データを記憶するステップと、
取得手段が、画面の原イメージデータを取り込むステップと、
作成手段が、前記原イメージデータを前記色覚特性データに基づいて変換して変換イメージデータを作成するステップと、
ピクセル比較手段が、前記原イメージデータ及び前記変換イメージデータをピクセル毎に比較して比較イメージデータを作成するステップと、
周辺比較手段が、前記比較イメージデータが一定のピクセル比較閾値以上であるピクセルの変換イメージデータ及び該ピクセルの周辺の変換イメージデータを比較するステップと、
色弱部判断手段が、前記周辺比較手段による比較結果が一定の周辺比較閾値以下のピクセルを一定値以上含む画面分割部を色弱部であると判断するステップと、
マーク表示手段が、前記色弱部が存在する画面内にマークを表示して色弱部が存在することを認識させるステップと、
色弱部表示手段が、前記色弱部が存在する画面内の該色弱部に色弱部表示を行って該色弱部を認識させるステップと、
を含む色覚機能通知方法。
【請求項２２】
ユーザーの色覚特性データを記憶する記憶手段と、
前記色覚特性データに基づく色覚特性表示データを画面に表示する色覚特性表示手段と、
前記表示した色覚特性データを変更する色覚特性変更手段と、
前記画面内の前記色覚特性データに関連付けられる関連部分を検索し、該検索した関連部分の原イメージデータを変換して表示するイメージ変換手段と、
を含む色覚補助システム。
【請求項２３】
前記イメージ変換手段が、色覚特性表示データを変更した時に、該変更後の色覚特性表示データに関連付けられる関連部分を検索し、該検索した関連部分の原イメージデータを変換して表示する請求項２２に記載する色覚補助システム。
【請求項２４】
前記色覚特性表示データが、色空間上に点、線又は範囲を選択して特定されるデータであり、前記色覚特性変更手段が、該色空間上の点、線又は範囲を追加若しくは削除し、又は該色空間上の点、線又は範囲の位置を移動して色覚特性表示データを変更する手段である請求項２３に記載する色覚補助システム。
【請求項２５】
前記色空間上の点、線又は範囲の位置を移動して色覚特性表示データを変更する場合、該色空間上の点、線又は範囲の位置を連続的に移動して色覚特性表示データを変更する手段である請求項２４に記載する色覚補助システム。
【請求項２６】
コンピューターを、
ユーザーの色覚特性データを記憶する記憶手段、
前記色覚特性データに基づく色覚特性表示データを画面に表示する色覚特性表示手段、
前記表示した色覚特性表示データを変更する色覚特性変更手段、
前記画面内の前記色覚特性表示データに関連付けられる関連部分を検索し、該検索した関連部分の原イメージデータを変換して表示するイメージ変換手段、
として機能させる色覚補助用プログラム。
【請求項２７】
記憶手段が、ユーザーの色覚特性データを記憶するステップと、
色覚特性表示手段が、前記色覚特性データに基づく色覚特性表示データを画面に表示するステップと、
色覚特性変更手段が、前記表示した色覚特性表示データを変更するステップと、
イメージ変換手段が、前記画面内の前記色覚特性表示データに関連付けられる関連部分を検索し、該検索した関連部分の原イメージデータを変換して表示するステップと、
を含む色覚補助方法。
【請求項２８】
前記色覚特性データに基づく色覚特性表示データを画面に表示する色覚特性表示手段と、
前記表示した色覚特性表示データを変更する色覚特性変更手段と、
前記画面内の前記色覚特性表示データに関連付けられる関連部分を検索し、該検索した関連部分のイメージデータを変換して表示するイメージ変換手段と、
を含む請求項１８又は請求項１９に記載する色覚機能通知システム。
【発明の詳細な説明】
【技術分野】  本発明は、視覚補助サービスシステム、当該サービスを提供するネットワークサーバ、及び当該サービスの方法に関する。更に詳しくは、日常生活において老人や色覚障害者等の被る不便を、ネットワークを用いて視覚補助するシステム等に関する。また、本発明は、ユーザーに画面内の色弱部を認識させる色覚機能通知システム、色覚機能通知用プログラム、色覚機能通知方法、色覚補助システム、色覚補助用プログラム、及び色覚補助方法に関する。
【背景技術】  先天的に色覚異常を持つ人は意外に多く、女性は０．２％に留まるものの、男性では５％にも上ると言われている。色覚異常のうち、物が白黒に見える、いわゆる色盲は稀で、赤、緑、青のどれか一つ又は二つの波長が認識できない、いわゆる色弱が多いといわれている。
このような色弱者は、日常生活において顕著に不便を感じるわけではないが、例えば服を買ったり、家具をコーディネートしたりしたい時等、他人の目に晒される物を選ぶ時等は、本当の色を知りたいと思うものである。また、色を混同するがために危険な事態に陥ることもある。このような場合、手軽に目の前にある物の本当の色を知ることができる方法があれば非常に便利である
従来、音声を発して物の色を色覚異常者に伝える専用の機械はあったが、周りの人に自分が色覚に障害をもつことがわかってしまうため、色弱者等には使いにくい面があった。また、色弱は日常生活にはさほど支障とならず、常時色について確認したいわけでもないのに、わざわざいつもそのような機械を持ち歩くのも億劫なものである。
一方、従来よりパソコン上で文字情報を音声化して視覚障害者を補助する機器は広く実用化されている。また、インターネットを通じて視覚障害者等がパソコンの画面のカラーや文字情報を認識できるようにするシステムも登場してきている（特願２００２−９８４１９）。
しかし、近年爆発的に携帯電話が普及し、会話と共に、メールの送受信機器の主流となってきたが、色弱や弱視等の視覚障害に対する支援機能や利用法は未だ乏しい。更に最近では益々携帯電話の機能の多様化は進み、コンパクトで軽量であるにも拘わらず、画像撮影機器としても使用され、撮った画像をネットワークを介して送受信することも可能となった。
そこで本発明は、このような携帯端末の高機能性、携帯性、普及度等を色弱者等の利便に帰すべく、視覚補助ネットワークシステムを提供しようとする。
従来から、画面に表わされた色彩について、色弱者に正しい色を認識させるソフトが案出されている（例えば、非特許文献「中原ひかる、”色々の色”、「ｏｎｌｉｎｅ」、平成９年４月、中原ひかる、［平成１４年１２月４日検索］，インターネット、＜ｈｔｔｐ：／／ｗｗｗ．ｈｉｋａｒｕｎ．ｃｏｍ／ｗ／＞」参照。）。このソフトによれば、画面上のマウスで指した位置の色を文字で表示することができる。
しかし、マウスで指すことによって初めて色を認識できるため、画面内に色を識別し難い部分があるか否かを認識するためには、マウスで画面全体を指していく必要があった。また、一律に色を文字で表示するため、個人の色覚特性に対応した処理ができなかった。また、マウスで指した位置の色を認識できても、周囲の色との関係で、その位置の模様又は文字を認識できない場合があった。
そこで、本発明者は、このような課題の原因を究明してこのような課題を解決するべく、鋭意研究を重ねた結果、本発明に至ったのである。
すなわち、本発明は、画面内に色を識別し難い部分があるか否かを認識できるとともに人の色覚特性に対応した処理のできるシステム、プログラム、及び方法を提供することを目的とする。また、色だけでなく、その位置の模様又は文字を認識できるシステム、プログラム、及び方法を提供することを目的とする。
【発明の開示】
本発明の提供する視覚補助ネットワークサーバは、携帯端末から画像を受信する画像データ受信手段と、前記画像データ受信手段が受信した前記画像を記憶する顧客データ記憶手段と、前記顧客データ記憶手段から前記画像を取得して、該画像の色データを生成する画像色データ解析手段と、前記画像色データ解析手段が生成した色データを、前記携帯端末へ送信する色データ送信手段と、を含む。
前記色データ送信手段は、ネットワークを介して前記色データを前記携帯端末へ送信し得る。
前記ネットワークはインターネットであり得る。
前記視覚補助ネットワークサーバは、前記色データ及び前記画像をウェブページに表示して前記ネットワークに配信するウェブページ配信手段を備え得る。
前記色データ送信手段は、前記色データをメールにより前記携帯端末へ送信してもよい。
前記顧客データ記憶手段は、前記携帯端末に対応する電話番号を登録し、前記色データ送信手段は、前記顧客データ記憶手段から前記電話番号を取得して該電話番号に対応する携帯端末へ、該携帯端末から受信した画像の前記色データを音声として送信し得る。
前記画像色データ解析手段は、前記受信した画像の中心付近のドット領域の色データを生成し得る。
前記画像色データ解析手段は、前記携帯端末が前記ウェブページ上でポインタ指定したドット領域の色データを生成し、前記色データ送信手段は、前記画像色データ解析手段が生成した色データを、前記携帯端末へ送信してもよい。
本発明に係る視覚補助ネットワークシステムは、視覚補助ネットワークサーバが画像を受信し、該視覚補助ネットワークサーバは該携帯端末に前記色データを送信する。
本発明に係る視覚補助方法は、ネットワークを介して視覚補助ネットワークサーバと携帯端末が画像及び色データを送受信する方法であって、前記携帯端末の携帯撮影手段が画像を撮影するステップ、前記携帯端末の携帯送受信手段がネットワークを介して前記画像を前記視覚補助ネットワークサーバに送信するステップ、前記視覚補助ネットワークサーバの画像データ受信手段が、前記画像を受信するステップ、前記視覚補助ネットワークサーバの顧客データ記憶手段が、前記画像データ受信手段が受信した前記画像を記憶するステップ、前記視覚補助ネットワークサーバの画像色データ解析手段が、前記顧客データ記憶手段から前記画像を取得して、該画像から色データを生成するステップ、前記視覚補助ネットワークサーバの色データ送信手段が、前記画像色データ解析手段が生成した色データを、前記ネットワークを介して前記携帯端末へ送信するステップ、前記携帯端末の携帯受信手段が、前記色データ送信手段が送信した前記色データを、前記ネットワークを介して受信するステップ、から構成される。
前記ネットワークはインターネットであり得る。
前記視覚補助ネットワークサーバはウェブページ配信手段を備え、前記ウェブページ配信手段は、前記色データ及び前記画像をウェブページに表示して前記ネットワークに配信し得る。
前記色データ送信手段は、前記色データをメールにより前記携帯端末へ送信し得る。
前記顧客データ記憶手段は、前記携帯端末に対応する電話番号を登録し、前記色データ送信手段は、前記顧客データ記憶手段から前記電話番号を取得して該電話番号に対応する携帯端末へ、該携帯端末から受信した画像の前記色データを音声として送信してもよい。
前記画像色データ解析手段は、前記受信した画像の中心付近のドット領域の色データを生成する。
前記画像色データ解析手段は、前記携帯端末が前記ウェブページ上でポインタ指定したドット領域の色データを生成し、前記色データ送信手段は、前記画像色データ解析手段が生成した色データを、前記携帯端末へ送信し得る。
本発明の視覚補助システムは、携帯端末内に備えられる視覚補助システムであり、画像を撮影する撮影手段と、前記撮影手段が撮影した画像を記憶する顧客データ記憶手段と、前記顧客データ記憶手段の画像の色データを生成する画像色データ解析手段と、前記画像色データ解析手段が生成した色データを表示する色データ表示手段と、を含む。
本発明の色覚機能通知システムは、ユーザーの色覚特性データを記憶する記憶手段と、コンピューター画面の原イメージデータを取り込む取得手段と、前記原イメージデータを前記色覚特性データに基づいて変換して変換イメージデータを作成する作成手段と、前記原イメージデータ及び前記変換イメージデータをピクセル毎に比較して比較イメージデータを作成するピクセル比較手段と、前記比較イメージデータが一定のピクセル比較閾値以上であるピクセルの変換イメージデータ及び該ピクセルの周辺の変換イメージデータを比較する周辺比較手段と、前記周辺比較手段による比較結果が一定の周辺比較閾値以下のピクセルを一定値以上含む画面分割部を色弱部であると判断する色弱部判断手段と、前記色弱部が存在する画面内にマークを表示して色弱部が存在することを認識させるマーク表示手段と、前記色弱部が存在する画面内の該色弱部に色弱部表示を行って該色弱部を認識させる色弱部表示手段と、を含むことを特徴とする。
本明細書において、変換イメージデータとは、ユーザーが実際に見えている色に変換したイメージデータである。ピクセルとは、一つの画素又は複数の画素群である。色弱部とは、色の認識が困難であることにより、形状、模様、色彩、文字等の認識が困難な部分である。画面分割部とは、一つのピクセル又は複数のピクセル群である。
本発明の色覚機能通知システムは、前記色覚機能通知システムにおいて、前記色弱部表示手段が前記色弱部を反転、修飾又は強調して色弱部表示を行うことを特徴とする。
本発明の色覚機能通知システムは、前記色覚機能通知システムにおいて、前記色覚特性データに基づく色覚特性表示データを画面に表示する色覚特性表示手段と、前記表示した色覚特性表示データを変更する色覚特性変更手段と、前記画面内の前記色覚特性表示データに関連付けられる関連部分を検索し、該検索した関連部分のイメージデータを変換して表示するイメージ変換手段と、を含むことを特徴とする。
本発明の色覚機能通知用プログラムは、コンピューターを、ユーザーの色覚特性データを記憶する記憶手段、コンピューター画面の原イメージデータを取り込む取得手段、前記原イメージデータを前記色覚特性データに基づいて変換して変換イメージデータを作成する作成手段、前記原イメージデータ及び前記変換イメージデータをピクセル毎に比較して比較イメージデータを作成するピクセル比較手段、前記比較イメージデータが一定のピクセル比較閾値以上であるピクセルの変換イメージデータ及び該ピクセルの周辺の変換イメージデータを比較する周辺比較手段、前記周辺比較手段による比較結果が一定の周辺比較閾値以下のピクセルを一定値以上含む画面分割部を色弱部であると判断する色弱部判断手段、前記色弱部が存在する画面内にマークを表示して色弱部が存在することを認識させるマーク表示手段、前記色弱部が存在する画面内の該色弱部に色弱部表示を行って該色弱部を認識させる色弱部表示手段、として機能させることを特徴とする。
本発明の色覚機能通知方法は、記憶手段が、ユーザーの色覚特性データを記憶するステップと、取得手段が、コンピューター画面の原イメージデータを取り込むステップと、作成手段が、前記原イメージデータを前記色覚特性データに基づいて変換して変換イメージデータを作成するステップと、ピクセル比較手段が、前記原イメージデータ及び前記変換イメージデータをピクセル毎に比較して比較イメージデータを作成するステップと、周辺比較手段が、前記比較イメージデータが一定のピクセル比較閾値以上であるピクセルの変換イメージデータ及び該ピクセルの周辺の変換イメージデータを比較するステップと、色弱部判断手段が、前記周辺比較手段による比較結果が一定の周辺比較閾値以下のピクセルを一定値以上含む画面分割部を色弱部であると判断するステップと、マーク表示手段が、前記色弱部が存在する画面内にマークを表示して色弱部が存在することを認識させるステップと、色弱部表示手段が、前記色弱部が存在する画面内の該色弱部に色弱部表示を行って該色弱部を認識させるステップと、を含むことを特徴とする。
本発明の色覚補助システムは、ユーザーの色覚特性データを記憶する記憶手段と、前記色覚特性データに基づく色覚特性表示データを画面に表示する色覚特性表示手段と、前記表示した色覚特性表示データを変更する色覚特性変更手段と、前記画面内の前記色覚特性表示データに関連付けられる関連部分を検索し、該検索した関連部分のイメージデータを変換して表示するイメージ変換手段と、を含むことを特徴とする。色覚特性表示データは、色覚特性データを表示するために色覚特性データとは別個に記憶されるデータである。
本明細書において、関連付けられる関連部分とは、色覚特性表示データによって特定された色彩と同一若しくは類似する色彩の部分、又は色空間上の反対色等の一定関係を有する色彩等である。色空間とは、ＬＭＳ色空間、ＲＧＢ色空間、ｓＲＧＢ色空間、又はＬａｂ色空間等である。イメージ変換手段による変換は、反転、修飾、強調、反対色への変換等である。
本発明の色覚補助システムは、前記色覚補助システムにおいて、前記イメージ変換手段が、色覚特性表示データを変更した時に、該変更後の色覚特性表示データに関連付けられる関連部分を検索し、該検索した関連部分のイメージデータを変換して表示することを特徴とする。
本発明の色覚補助システムは、前記色覚補助システムにおいて、前記色覚特性表示データが、色空間上に点、線又は範囲を選択して特定されるデータであり、前記色覚特性変更手段が、該色空間上の点、線又は範囲を追加若しくは削除し、又は該色空間上の点、線又は範囲の位置を移動して色覚特性データを変更する手段であることを特徴とする。
本発明の色覚補助システムは、前記色覚補助システムにおいて、前記色空間上の点、線又は範囲の位置を移動して色覚特性表示データを変更する場合、該色空間上の点、線又は範囲の位置を連続的に移動して色覚特性表示データを変更する手段であることを特徴とする。連続的とは、断続的でなく、アナログ的に移動することである。
本発明の色覚補助用プログラムは、コンピューターを、ユーザーの色覚特性データを記憶する記憶手段、前記色覚特性データに基づく色覚特性表示データを画面に表示する色覚特性表示手段、前記表示した色覚特性表示データを変更する色覚特性変更手段、前記画面内の前記色覚特性表示データに関連付けられる関連部分を検索し、該検索した関連部分のイメージデータを変換して表示するイメージ変換手段、として機能させることを特徴とする。
本発明の色覚補助方法は、記憶手段が、ユーザーの色覚特性データを記憶するステップと、色覚特性表示手段が、前記色覚特性データに基づく色覚表示データを画面に表示するステップと、色覚特性変更手段が、前記表示した色覚特性表示データを変更するステップと、イメージ変換手段が、前記画面内の前記色覚特性表示データに関連付けられる関連部分を検索し、該検索した関連部分のイメージデータを変換して表示するステップと、を含むことを特徴とする。
本発明の色覚機能通知システムは、前記色覚機能通知システムにおいて、前記色覚特性データに基づく色覚特性表示データを画面に表示する色覚特性表示手段と、前記表示した色覚特性表示データを変更する色覚特性変更手段と、前記画面内の前記色覚特性表示データに関連付けられる関連部分を検索し、該検索した関連部分のイメージデータを変換して表示するイメージ変換手段と、を含む。
【図面の簡単な説明】  図１は、視覚補助ネットワークサーバの概略図である。
図２は、携帯電話Ｋから、色覚補助ネットワークサーバＮの属するネットワークを介して、視覚補助ネットワークサーバＮに接続する場合の概略図である。
図３は、携帯電話Ｋから、インターネットを介して、視覚補助ネットワークサーバＮに接続する場合の概略図である。
図４は、被写体である無模様一色のＴシャツが表示された画像撮影機能付き携帯電話のディスプレイを表す図である。
図５は、被写体である横縞入りのＴシャツが表示された画像撮影機能付き携帯電話のディスプレイを表す図である。
図６は、被写体である横縞入りのＴシャツに簡略化された色データが表示された画像撮影機能付き携帯電話のディスプレイを表す図である。
図７（ａ）は、色データが言葉で表示された画像撮影機能付き携帯電話のディスプレイを表す図である。図７（ｂ）は、色データが棒グラフで表示された画像撮影機能付き携帯電話のディスプレイを表す図である。図７（ｃ）は、色データがポインタごとに表示された画像撮影機能付き携帯電話のディスプレイを表す図である。
図８は、本発明の色覚機能通知システムを示す構成図である。
図９は、本発明の色覚補助システムを示す構成図である。
図１０は、本発明の色覚機能通知システム及び色覚補助システムに使用する色覚特性データを示す図である。
図１１は、本発明の色覚機能通知システムを使用した画面を示す図である。
図１２は、本発明の色覚機能通知システムにより作成するデータを示す図である。
図１３は、本発明の色覚機能通知システムを使用した画面を示す図である。
図１４は、本発明の色覚機能通知システムを使用した画面を示す図である。
図１５は、図１４の画面の一部を示す図である。
図１６は、本発明の色覚補助システムを使用した画面を示す図である。
図１７は、本発明の視覚補助システムの他の実施形態を示す構成図である。
【発明を実施するための最良の形態】  本実施の形態では、市販の画像撮影機能付き携帯電話Ｋを用いて、本発明の視覚補助ネットワークシステムを説明する。また、同時にその作用及び効果を説明することにより、視覚補助方法の方法についても説明する。
本発明の視覚補助ネットワークサーバＮは、図１に示されるように画像データ受信手段１２と、画像色データ解析手段１４と、色データ送信手段１６と、顧客データ記憶手段１８を備えている。携帯電話Ｋには通常メール機能がついているので、本実施例の場合、色データ送信手段１６は電子メールであってよい。
例えば色弱障害を持つＳが、視覚補助ネットワークサーバＮを利用して無模様一色の被写体Ｔ１の色を確認したいとする（図４）。Ｓは携帯電話Ｋを用いて被写体Ｔ１を撮影し、画像データをメールに添付する。後は、Ｓは視覚補助ネットワークサーバＮのメールアドレスを指定し、携帯電話Ｋから上記メールを送信すればよい。
送信された上記メールは、ネットワークを介して視覚補助ネットワークサーバＮの上記画像データ受信手段１２にて受信される。受信された画像データは、顧客データ記憶手段１８に送られ、予め登録されたユーザー領域に記憶される。
画像２０には通常マトリクス状にドットが並んでいて、各ドットでＲＧＢ（Ｒｅｄ，Ｇｒｅｅｎ，Ｂｌｕｅ）の値を有している。画像色データ解析手段１４は当該メールに添付された画像２０を直ちに再生し、例えば画像２０の中心付近のドット領域２４の色を解析する。画像のおおよその色合いを知りたい場合は、中心部を代表させてその周りの色合いを調べるのが最も妥当だからである。但し、他の領域を解析してもよい。
画像色データ解析手段１４が解析して得る色についての情報は、被写体Ｔ１が何色か、という色相はじめ、色の明るさ（明度、輝度）、鮮やかさ（彩度、飽和度）等である。被写体Ｔ１が金属光沢を持つかとか、透明度を持つか等の情報を含めてもよい。
画像色データ解析手段１４により解析され、得られた色データは例えば図７ａや７ｂのように表され、色データ送信手段１６からＳの携帯電話Ｋにメールとして送られる。
ここで色相は（赤、橙、黄、緑、青緑、青、青紫、紫、赤紫）、又はさらに細分化された色から選ばれ、彩度は（さえた赤、鮮やかな赤、うすい赤、ごくうすい赤、白）のように表現される。また、明度は（白、明るい灰色、灰色、暗い灰色、黒）のように表される。
あるいは図７ｃのように棒グラフ状に、又は円グラフ等で上記色データの３要素の度合を表現してもよい。このように色相等の変化の度合いを、赤や青等、その色相等を表現する文字と一緒表しておけば、色弱等の障害者にとっても色の識別の訓練にもなる。
このようにしてＳは、無模様一色の被写体Ｔ１の色に関する情報を知ることができる。画像撮影機能付き携帯電話Ｋで被写体Ｔ１を写し、視覚補助ネットワークサーバＮに画像データを添付したメールを送れば、自動的に被写体Ｔ１の色データが記載されたメールが届くので、非常に簡単かつ便利である。
図２に示すように、携帯電話による視覚補助ネットワークサーバＮへの接続は、視覚補助ネットワークサーバＮが属するイントラネットワークを介して行なわれてよい。また上記イントラネットワークに属さないユーザであれば、図３のようにインターネットを介して視覚補助ネットワークサーバＮに接続してもよい。
上述した例は被写体Ｔ１が無模様一色の緑色の場合であるが、本発明の他の実施例として、図５に示すように、緑地３２に更に例えば赤の横縞３３が入っている場合について説明する。
まずＳは、上記例と同様に被写体Ｔ２を携帯電話Ｋで撮影する。次に画像データ３０をメールに添付し、視覚補助ネットワークサーバＮに当該画像データを送信する。
画像色データ解析手段１４は、上記例のように画像の中心付近のドット領域３４の色について解析し、得られた色データ、上記画像データ等を顧客データ記憶手段１８に蓄積する。これと同時に画像色データ解析手段１４は、色データ送信手段１６を通じて色データをメールとして、あるいは他の方法でＳの携帯電話Ｋに送信する。
しかし、色弱の障害を持つＳにはその色データは横縞の部分についての情報か地の部分の色についての情報なのかは判断できない場合がある。そこでこのような場合に、Ｓが再度被写体Ｔ２について撮影し、視覚補助ネットワークサーバＮに別の画像データを送信しなくてよいように、上記顧客データ記憶手段１８に記憶させた色データ、上記画像データ等を利用する。
即ちＳは携帯電話Ｋの画面において、インターネット等で視覚補助ネットワークサーバＮにアクセスし、自己の顧客データ記憶手段１８のウェブページを呼び出す。そしてそのウェブページにおいて被写体Ｔ２の画像を呼び、知りたい色の点をキー等を用いてポインタ指定する。例えばＳが横縞の部分３３についての色データが欲しい場合には、当該横縞に含まれる一点３６をポインタ指定する。
この場合画像色データ解析手段１４は、上記Ｔ２の画像のポインタ指定された点３６の色について解析する。このようにして上記ウェブページ中で、知りたい色の部分を何度でもポインタ指定して、Ｓは点３６を含む横縞３３の色について情報を得ることができる。
上記例は、一度目はメール等で送信画像の中心点３４についての色について解析させ、視覚補助ネットワークサーバＮに記憶させた画像から、ウェブページ上でポインタ指定をして点３６の色について解析しているが、最初から所望する複数の点をポインタ指定できるようにしてもよい。
例えば図６のようにポインタ１で地の部分を、ポインタ２で横縞の部分を指定してもよい。この場合視覚補助ネットワークサーバＮは、図６に示されるように携帯電話Ｋから受信した画像に、ポインタ及び色相等の簡単な情報を書き込んで携帯電話Ｋに送信してもよい。グラフで表現するのも視覚に訴えるので好ましい。
又、図７ｃのように色相のみをポインタ毎に表示してもよい。
上述の例は、いずれも色データ送信手段１６は、画像色データ解析手段１４の解析で得た色データをメールでＳの携帯電話Ｋに送信したが、電話を携帯電話Ｋにかけて、音声によってＳに色データを知らせてもよい。即ち、携帯電話Ｋからアクセスがあった場合、上記視覚補助ネットワークサーバの記憶手段１８が予め登録された当該顧客の電話番号を検索し、色データ送信手段１６が携帯電話Ｋに電話をして、生成された色データを音声でＳに伝達する。
電話によって色データを伝えるので、この場合もＳは周囲の人に自分の障害について知られることはない。
以上のような視覚補助ネットワークシステムは、上記視覚補助ネットワークサーバが属するネットワークのホストコンピュータに登録すれば誰でも利用することができる。或いは視覚補助ネットワークサーバの上記記憶手段１８に登録するようにしてもよい。登録により視覚補助ネットワークサーバのＵＲＬが通知される。課金方法は特に限定はない。
あるいは登録制ではなく、誰でも視覚補助ネットワークシステムを利用できるようにし、利用回数に応じて課金するようにしてもよい。この場合も課金、支払い方法は特に限定されない。
また、以上の説明では画像撮影携帯端末として携帯電話を用いたが、屋内に居る時等は、パソコン端末を使用して視覚補助ネットワークシステムを利用することもできる。この場合パソコン画面上の撮影画像をそのままの状態にして、固定電話にて色データを聴くこともできる。上記登録内容に応じて、様々な機器を組合わせて視覚補助ネットワークシステムを利用することができる。
次に、本発明は、図１７に示すように、携帯端末Ｋ内に備えられる視覚補助システム１５０であっても良い。この視覚補助システム１５０は、画像を撮影する撮影手段１５２と、撮影手段１５２が撮影した画像を記憶する顧客データ記憶手段１５４と、顧客データ記憶手段１５４の画像の色データを生成する画像色データ解析手段１５６と、画像色データ解析手段１５６が生成した色データを表示する色データ表示手段１５８とを備える。撮影手段１５２は、ＣＭＯＳ又はＣＣＤ等の素子から構成される。顧客データ記憶手段１５４及び画像色データ解析手段１５６は、携帯端末Ｋ内のメモリ又はＣＰＵ等である。色データ表示手段１５８は、携帯端末Ｋのディスプレイ等である。この視覚補助システム１５０の場合、インターネットを介さずに色データの認識ができる。
次に、本発明に係る色覚機能通知システム、色覚機能通知用プログラム、色覚機能通知方法、色覚補助システム、色覚補助用プログラム、及び色覚補助方法の実施の形態について、図面に基づいて詳しく説明する。
図８において、符号１１０は、本発明の色覚機能通知システムであり、図９において、符号１１１は、本発明の色覚補助システムである。
色覚機能通知システム１１０は、図８に示すように、ユーザーの色覚特性データＤを記憶する記憶手段１１２と、コンピューター画面の原イメージデータＡを取り込む取得手段１１４と、原イメージデータＡを色覚特性データＤに基づいて変換して変換イメージデータＢを作成する作成手段１１６と、原イメージデータＡ及び変換イメージデータＢをピクセル毎に比較して比較イメージデータＣを作成するピクセル比較手段１１８と、比較イメージデータが一定のピクセル比較閾値以上であるピクセルの変換イメージデータＢ及びピクセルの周辺の変換イメージデータＢを比較する周辺比較手段１２０と、周辺比較手段１２０による比較結果が一定の周辺比較閾値以下のピクセルを一定値以上含む画面分割部を色弱部１２２であると判断する色弱部判断手段１２４と、色弱部１２２が存在する画面内にイクスクラネーションマーク１２６を表示して色弱部１２２が存在することを認識させるマーク表示手段１２８と、色弱部１２２が存在する画面内の色弱部１２２に色弱部表示を行って色弱部１２２を認識させる色弱部表示手段１３０とを備えている。
よって、本発明の色覚機能通知用プログラムは、コンピューターを、記憶手段１１２、取得手段１１４、作成手段１１６、ピクセル比較手段１１８、周辺比較手段１２０、色弱部判断手段１２４、マーク表示手段１２８、色弱部表示手段１３０として機能させるプログラムである。この色覚機能通知用プログラムは、パーソナルコンピューターによって機能させられるが、携帯端末又はサーバーによって機能させられても良い。
色覚補助システム１１１は、図９に示すように、記憶手段１１２と、色覚特性データＤに基づく色覚特性表示データＥを画面に表示する色覚特性表示手段１３４と、表示した色覚特性表示データＥを変更する色覚特性変更手段１３２と、画面内の色覚特性表示データＥに関連付けられる関連部分を検索し、検索した関連部分の原イメージデータＡを変換して表示するイメージ変換手段１３６とを備えている。記憶手段１１２は、色覚機能通知システム１１０及び色覚補助システム１１１が共有する。
よって、本発明の色覚補助用プログラムは、コンピューターを、記憶手段１１２、色覚特性表示手段１３４、色覚特性変更手段１３２、イメージ変換手段１３６として機能させるプログラムである。この色覚補助用プログラムは、パーソナルコンピューターによって機能させられるが、携帯端末又はサーバーによって機能させられても良い。
このような色覚機能通知システム１１０及び色覚補助システム１１１の作用について以下に説明することにより、色覚機能通知方法及び色覚補助方法について説明する。
本発明の色覚機能通知システム１１０及び色覚補助システム１１１を使用するユーザーが、パーソナルコンピューターを立ち上げ、色覚機能通知システム１１０を機能させると、色覚特性を調査する画面が表示される。ユーザーは、質問に対する答の入力等を行う。例えば、「従来から見え難い色は何色ですか」という質問に対して「赤」を入力する。このようにして入力することにより、色覚機能通知システム１１０が色覚特性データＤを作成して記憶手段１１２に登録する。例えば、図１０に示すように、ＨＳＢ色空間上に線によって範囲１３８を特定し、又はポイント１４０によって特定する色覚特性データＤの形式で登録する。
このようにして色覚特性データＤを登録しておいた状態で、ユーザーがパーソナルコンピューターを立ち上げて、例えば図１１のようなホームページ１４２を開くと自動的に又は選択により、色覚機能通知システム１１０が機能する。色覚機能通知システム１１０が機能すると、取得手段１１４、作成手段１１６及びピクセル比較手段１１８が機能し、図１２に示すように、原イメージデータＡ、変換イメージデータＢ、比較イメージデータＣが作成される。比較イメージデータＣは、例えば、原イメージデータＡと変換イメージデータＢとをピクセル毎に減算したデータの形式で作成される。
次に、周辺比較手段１２０が機能し、一定のピクセル比較閾値以上の比較イメージデータＣが存在するか否かをピクセル毎に判断し、一定のピクセル比較閾値以上のピクセルが存在すれば、そのピクセルの変換イメージデータＢとその周辺のピクセルの変換イメージデータＢを比較する。次に、色弱部判断手段１２４が機能し、この比較結果が一定の周辺比較閾値以下のピクセルは、ユーザーが周辺のピクセルの色彩との違いを認識し難い部分であるため、そのようなピクセルを一定値以上含む画面分割部を色弱部１２２であると判断する。すなわち、変換イメージデータＢは、ユーザーが現実に見えるイメージデータであるところ、その変換イメージデータＢに関して周辺と比較することにより、ユーザーが現実に認識し難い色弱部１２２を判断する。
この色弱部１２２が存在する場合、マーク表示手段１２８が機能し、図１３に示すように、画面内にイクスクラネーションマーク１２６を表示する。ユーザーは、このイクスクラネーションマーク１２６を見て、画面内に色弱部１２２が存在することを認識する。次に、色弱部表示手段１３０が機能し、色弱部１２２の原イメージデータＡを反転し、図１４及び図１５に示すように色弱部表示が行われる。この色弱部表示により、ユーザーは色弱部１２２の位置を認識できる。なお、色弱部表示は、色弱の危険度に応じてより白くする表示であっても、危険度に応じて濃淡を強調する表示であっても良い。
画面内に色弱部１２２が存在すること及び色弱部１２２の位置を確認したユーザーは、色覚補助システムを起動させる。例えば、本発明の色覚補助システム１１１を起動させる。
色覚補助システム１１１を起動させると、色覚特性表示手段１３４が機能し、図１６に示すように、画面に既に登録した色覚特性データＤに基づく色覚特性表示データＥが表示される。また、イメージ変換手段１３６が機能し、色覚特性表示データＥに関連付けられる関連部分を画面から検索し、関連部分の原イメージデータＡを変換する。例えば、図１６の色覚特性表示データＥにおいて、赤色近辺及び黄緑近辺を色弱に係る範囲１３８として特定しているため、赤色又は赤色に類似する部分、及び黄緑又は黄緑に類似する部分を関連部分として検索し、この関連部分を反転変換して、色覚特性表示データＥの上部に表示する。
ここで、この色覚特性表示データＥは色覚特性変更手段１３２を機能させることにより変更できる。すなわち、範囲１３８を囲んで特定する線１３９をクリックしてＨＳＢ空間上で連続的に回転させて範囲１３８を変更できる。範囲１３８を変更することにより色覚特性表示データＥが変わるが、瞬時にイメージ変換手段１３６が機能して、色覚特性表示データＥに関連付けられる関連部分を画面から検索し、関連部分の原イメージデータＡを変換して、色覚特性表示データＥの上部に表示する。このため、色覚特性表示データＥを変更しながら関連部分がリアルタイムに変化していくのが確認できる。ユーザーは、表示された色覚特性表示データＥと画面とを見比べることにより、自己の色覚特性を確認できる。また、アナログ的に色覚特性表示データＥを変更しながら、関連部分の位置がリアルタイムに変化していくのを確認できるため、ユーザーは自己の色覚特性を感覚的に認識できる。
以上、本発明の色覚機能通知システム及び色覚補助システムの一実施形態について説明したが、本発明は、その他の形態でも実施し得るものである。
例えば、本発明の色覚機能通知システム及び色覚補助システムを使用する対象は、静止画像に限定されず、動画であっても良い。動画を対象とする場合、色弱部表示及び関連部分は、動画に追従してコマ送りで表示されていく。
その他、本発明の技術的範囲には、その趣旨を逸脱しない範囲で当業者の知識に基づき種々なる改良，修正，変形を加えた態様も含まれる。また、同一の作用又は効果が生じる範囲内で、いずれかの発明特定事項を他の技術に置換した形態で実施しても良い。
【産業上の利用可能性】  以上のように、本発明に係る視覚補助ネットワークシステムを用いれば、画像撮影携帯端末で被写体を撮影し、視覚補助ネットワークサーバに画像データを添付したメールを送れば、自動的に被写体の色データが記載されたメールが届くので、非常に簡単かつ便利である。
メール、電話又はインターネットのホームページ等により知りたい物の色についての情報を得ることができるので、音声で色を教える機器とは異なり、周囲の人に自分が色弱等の障害を持つことを知られることがない。
また、画像撮影携帯電話であれば広く普及し、誰もが持ち歩くため、人の目を気にする必要がない。更に、コンパクトかつ軽量な携帯電話を使用して知りたい物の色を知ることが出来、色を識別する専用の機械を持ち歩く必要もない。
本発明の色覚機能通知システム、色覚機能通知用プログラム及び色覚機能通知方法によれば、開いたコンピューター画面内に色弱部が存在するか否か、及び、その色弱部の位置がどこであるかを確認できる。また、周辺比較手段によって色弱部を判断するため、単にユーザーが見え難い色が存在するかではなく、周辺との関係で色彩、模様、文字を認識し難い部分が存在するかを確認できる。また、予め、ユーザーの色覚特性データを調査して記憶手段に登録しておき、その色覚特性データに基づいて色弱部を判断するため、個人の色覚特性に対応して判断できる。さらに、ユーザーが現実に見える色から成る変換イメージデータによって判断するため、正確な判断ができる。
また、本発明の色覚補助システム、色覚補助用プログラム及び色覚補助方法によれば、一旦登録した色覚特性データに基づく色覚特性表示データを変更しながら、関連部分を確認することができる。このため、ユーザーが自己の色覚特性を確認することができる。
【図１】
2004023397.tif 000003
【図２】
2004023397.tif 000004
【図３】
2004023397.tif 000005
【図４】
2004023397.tif 000006
【図５】
2004023397.tif 000007
【図６】
2004023397.tif 000008
【図７】
2004023397.tif 000009
【図８】
2004023397.tif 000010
【図９】
2004023397.tif 000011
【図１０】
2004023397.tif 000012
【図１１】
2004023397.tif 000013
【図１２】
2004023397.tif 000014
【図１３】
2004023397.tif 000015
【図１４】
2004023397.tif 000016
【図１５】
2004023397.tif 000017
【図１６】
2004023397.tif 000018
【図１７】
2004023397.tif 000019
【国際調査報告】
2004023397.tif 000020
2004023397.tif 000021
2004023397.tif 000022
2004023397.tif 000023
2004023397.tif 000024
2004023397.tif 000025
2004023397.tif 000026